(57)【要約】  凸状又は凹状の湾曲に追従するように長さに沿って撓曲が可能な、安全かみそり組立体（２）用の支持構造体（３）が、サブフレーム（１５）と、その対向端部で刃組立体に取り付けるための端部取り付け部（１７）とを有し、端部取り付け部（１７）は、サブフレームにそれぞれの懸架アーム構造体（１６）によって連結されており、各懸架アーム構造体（１６）は、第１の旋回連結部（２１）によって相互連結されると共に、第２の旋回連結部（２３）によってサブフレームに連結された２つのアーム（２１、２２）を有している。刃組立体とサブフレーム（１５）との間に配置されたピン（２６）又はサブフレーム（１５）と端部取り付け部（１７）の一方との間に連結されたねじり棒などの拘束器が、刃組立体（２）の長手方向の変位を防止するために設けられてもよい。
2010518904.tif 000002
【特許請求の範囲】
【請求項１】
ガード構造体と、キャップ構造体（１２）と、１つ以上の刃（４）とを備え、刃組立体が、対向する端部を有しかつ該端部間で可撓性を有する、かみそり刃組立体（２）用の支持構造体（３）であって、サブフレーム（１５）と、該刃組立体の該対向する端部が支持される端部取り付け部（１７）であって、該サブフレーム（１５）に対する該端部取り付け部（１７）の傾斜を可能にして該刃組立体（２）が凹状及び凸状に撓曲できるように、懸架アーム構造体（１６）によって該サブフレーム（１５）に結合された端部取り付け部（１７）と、該サブフレーム（１５）に対する該刃組立体（２）の長手方向の変位を少なくとも制限するための制止装置とを備えることを特徴とする、支持構造体。
【請求項２】
前記端部取り付け部（１７）が、それに前記刃組立体を安定的に取り付けるためのプラットフォームを画定する、請求項１に記載の支持構造体。
【請求項３】
前記懸架アーム構造体（１６）の各々が、内側及び外側アーム（２２、２０）を有し、前記端部取り付け部（１７）が、前記外側アーム（２０）の第１の端部に配置されている、請求項１又は２に記載の支持構造体。
【請求項４】
各懸架アーム構造体（１６）の前記外側アーム（２０）が、前記内側アーム（２２）の第１の端部にヒンジ結合で連結された第２の端部を有し、各懸架アーム構造体（１６）の前記内側アーム（２２）が、前記サブフレーム（１５）にヒンジ結合で連結された第２の端部を有する、請求項１〜３のいずれか一項に記載の支持構造体。
【請求項５】
前記懸架アーム構造体（１６）の前記内側及び外側アーム（２２、２０）が、それらの間の第１の旋回連結部（２１）によって相互連結されており、前記内側アーム（２０）が、第２の旋回連結部（２３）によって前記サブフレーム（１５）に連結されており、該旋回連結部が好ましくは一体ヒンジ又は旋回ジョイントを備える、請求項３に記載の支持構造体。
【請求項６】
前記サブフレームに対する前記刃組立体（２）の長手方向の運動を制限するための前記制止装置が、前記旋回連結部（２１、２３）によって形成されている、請求項４に記載の支持構造体。
【請求項７】
前記制止装置が、前記サブフレームに対する前記刃組立体の長手方向の変位を防止するための拘束器（２５）を備える、請求項１〜６のいずれか一項に記載の支持構造体。
【請求項８】
前記拘束器（２５）が、前記刃組立体の中央部分と前記サブフレームとの間に配置されており、好ましくは、ピン（２６）など、前記サブフレーム（１５）と協働して摺動する細長い部材（２６）を備え、該ピン（２６）が、前記刃組立体の前記キャップ構造体に連結されており、かつ前記刃組立体の該中央部分から下向きに、前記サブフレーム（１５）内に形成された案内スロット（２７）を通って延びるように構成されている、請求項７に記載の支持構造体。
【請求項９】
前記拘束器（２５）が、ねじり棒（３１）、例えば第１の端部部分（３２）を有するねじり棒を備え、該第１の端部部分（３２）が、前記端部取り付け部（１７）の一方に連結され、かつ前記サブフレーム（１５）と前記懸架アーム構造体（１６）の一方との間の旋回連結部（２３）で前記サブフレーム（１５）に結合されている、請求項７に記載の支持構造体。
【請求項１０】
前記ねじり棒（３１）が、前記懸架アーム構造体（１６）の一方の上の前記端部取り付け部（１７）に連結された第１の端部部分（３２）と、長手方向に延びる中央部分（３４）と、前記サブフレーム（１５）と前記第２の懸架アーム構造体（１６）との間の旋回連結部（２３）で前記サブフレーム（１５）に連結された第２の端部部分（３７）とを有する、請求項９に記載の支持構造体。
【請求項１１】
前記サブフレーム（１５）に、ハンドル連結構造体（３０）への前記サブフレームの旋回連結用のジャーナル（１９）を備える取り付け点など、かみそりハンドルへの連結用の取り付け点が設けられている、請求項１に記載の支持構造体。
【請求項１２】
かみそり内の又はかみそり用の剃毛カートリッジであって、請求項１１で規定された支持構造体（３）上に装着された刃組立体（２）と、前記サブフレーム（１５）上に設けられた前記ジャーナル（１９）と係合する旋回要素を有するハンドル相互連結部材（３０）とを備える剃毛カートリッジ。
【発明の詳細な説明】
【技術分野】
【０００１】
本発明は、剃毛されている表面の形状に適合することが可能な、湿式かみそりとも呼ばれる安全かみそりに関する。
【背景技術】
【０００２】
肌の湾曲に対する一定の適合性をもたらすように意図された既知の湿式安全かみそりが存在する。そのような安全かみそりが、米国特許第７，０２４，７７６号明細書（ウェイン（Wain））に開示されており、また、その安全かみそりにおける使用に好適な刃が、米国特許第６，８０４，８８６号明細書（ウェイン（Wain））に開示されている。国際公開第９９／０４９３８号公報（ホーズ（Hawes）ら）には、実質的に剛体の剃毛カートリッジ用の柔軟な支持体が開示されており、その支持体は、ハンドルから延びる一対のアームと、アームの自由端部を相互連結する支柱とを有している。また、柔軟な安全かみそり刃ユニット又はカートリッジが、例えば、国際公開第９２／０６８２８号公報（オールドロイド（Oldroyd））及び英国特許第２  １１９  ６９０号明細書（モッタ（Motta）ら）により知られている。２００６年７月２８日に出願された、本発明者らの係属中の英国特許出願第０６１５１１３．８号明細書（内部整理番号（internal Dkt.）Ｚ−０４６８７）において、凹状又は凸状の湾曲に追従するために変形可能な構造体によって支持された１つ以上の細長い柔軟な刃を有する安全かみそり組立体が提案されており、この支持する構造体は２つの懸架部材を有し、各懸架部材は、ヒンジによって相互連結された複数の細長い支持要素を下端部に備え、上端部で刃構造体と協働して摺動する。
【先行技術文献】
【特許文献】
【０００３】
【特許文献１】米国特許第７，０２４，７７６号明細書
【特許文献２】米国特許第６，８０４，８８６号明細書
【特許文献３】国際公開第９９／０４９３８号公報
【特許文献４】国際公開第９２／０６８２８号公報
【特許文献５】英国特許第２  １１９  ６９０号明細書
【特許文献６】英国特許出願第０６１５１１３．８号明細書
【発明の概要】
【課題を解決するための手段】
【０００４】
本発明は、刃組立体を効果的に支持し制御する一方で、刃組立体が凸状及び凹状の肌の湾曲に追従するために撓曲することを可能にする、柔軟な刃組立体用の簡潔な支持構造体を提供することを目的とする。
【０００５】
本発明によれば、ガード構造体と、キャップ構造体と、１つ以上の刃とを備え、刃組立体が、対向する端部を有しかつ端部間で可撓性を有する、かみそり刃組立体用の支持構造体が提供され、この支持構造体は、サブフレームと、刃組立体の対向する端部が支持される端部取り付け部であって、サブフレームに対する端部取り付け部の傾斜を可能にして刃組立体の凹状及び凸状の撓曲が可能となるように、懸架アーム構造体によってサブフレームに結合された端部取り付け部と、サブフレームに対する刃組立体の長手方向の変位を少なくとも制限するための制止装置とを備える。
【０００６】
本発明はまた、上記に規定したような支持構造体を備え、かつ上記に規定したような本発明による支持構造体を組み込んだ剃毛カートリッジを有する安全かみそりを含む。
【０００７】
刃組立体は好ましくは、複数の刃、例えば、２枚、３枚、４枚、５枚、又はおそらくは更に多くの刃を有する。好都合には、刃は、その開示内容のすべてが参照によって本明細書に組み込まれる米国特許第６，８０４，８８６（Ｂ２）号明細書（ウェイン（Wain））に記載されたタイプのものである。本発明の範囲内の別の変形例は、多数の貫通穴、例えば外縁の周りに少なくとも部分的に延びる切れ刃を有する円形穴を有する柔軟なプレート又はシートを備える刃である。以下で具体的に説明する実施形態において、刃組立体は、柔軟なフレーム構造体上に支持されたいくつかの細長い平行な刃を有し、その柔軟なフレーム構造体は、支持構造体のそれぞれの端部取り付け部に確実に締結される端部部分を有する。フレーム構造体は、エラストマー材料の成形品として形成されてもよく、また、刃は、それ自体が既知であるように、刃の端部を捕捉するようにフレーム構造体の周りに巻き付けられたオーバークリップ（overclips）など、任意の好適な方式でフレーム上に固定されてもよい。あるいは、フレーム構造体に、刃をフレーム構造体上に保持するためのシート又はクリップの配列が設けられてもよい。刃のクリップ又はシートは、刃を受容するためのスロットを備えることができ、また、平坦な刃を、それらの切れ刃を最も上にした傾斜した配列で方向付けるように構成することができる。別の変形例として、刃は、溶接などによって、下にあるフレーム要素に固定することができる。刃及びフレーム要素のサブ組立体は、エラストマー材料のフレーム構造体に成形するか、あるいはエラストマー材料のフレーム構造体に固定することができる。
【０００８】
ガード構造体は、フレーム構造体の前縁部分によって構成されてもよい。もう一つの可能性は、別個のガード部材、例えば、その場でフレーム構造体の上に成形することができるエラストマー材料のガード部材を、フレーム構造体に取り付けることである。好ましくは、ガード構造体は１つの部品に形成され、刃組立体の前縁部に沿って連続的に延びる。
【０００９】
キャップ構造体は、剃毛中に肌に付けるための薬剤、例えば潤滑剤を含有するストリップなど、肌接触部材を有することができる。それに加えて又はそれに代わって、肌接触部材は、それ自体が既知である他の剃毛向上製品の供給源を構成してもよい。好都合には、肌接触部材は一連の区分を備え、その一連の区分は、互いに結合されているか又は互いから完全に分離しており、刃組立体の後縁部分に沿って配されている。肌接触部材の各区分は、その場でフレーム構造体の上に成形されてもよい。
【００１０】
柔軟な刃組立体が、本発明による支持構造体上に支持された状態で、概ねサブフレームに向かう下向きの方向に、刃組立体の端部間の中央の領域において、刃組立体に力が加えられると、結果として、刃組立体は凹状の外形に変形し、支持構造体の端部取り付け部は、上向きに傾斜して刃組立体の端部を案内し制御し、滑らかな湾曲を確実にする。同様に、比較的大きい下向き方向の力が刃組立体の少なくとも一方の端部の領域に加えられると、刃組立体は、端部取り付け部が下向きに傾斜した状態で長さに沿って凸状の湾曲を取り、ここでも刃組立体の長さに沿った滑らかな湾曲を確実にする。支持構造体の制止装置は、サブフレーム及びかみそりハンドルに対する刃組立体の、したがって刃の長手方向の変位を実質的に妨げるように構成されてもよい。したがって、制止装置は、長さ方向における刃の刃組立体の変位を防止する拘束器を備えてもよい。しかしながら、限られた量の長手方向の変位は、かみそりのユーザーに潜在的危険性を生じることなく可能にされてもよく、また、剃毛中に肌の輪郭に適合するように刃組立体を撓曲させやすくする上で有用となり得る。後者の場合、制止装置は、例えば懸架アーム構造体の変形を制限するために、制限止め具を備えることができる。刃組立体の弾性は、刃組立体に与えられ刃組立体を通常の直線状の外形から変形させていた任意の外力が取り除かれたときの直線状の外形に、刃組立体を戻すために利用することができる。
【００１１】
支持構造体上に刃組立体を装着しやすくする好都合な構造において、端部取り付け部は、溶接、リベット締め、接着などによって刃組立体を容易に取り付けることができるプラットフォームを画定する。
【００１２】
懸架アーム構造体はそれぞれ、ヒンジ結合で相互連結された２つのアームを有することができ、それら２つのアームは、それぞれの端部取り付け部とサブフレームとの間に結合される。より具体的には、各懸架アーム構造体は、内側及び外側アームを備えてもよく、端部取り付け部は外側アームの第１の端部に配される。外側アームの第２の端部は、２つのアームが全体としてＶ字形状を形成するように、内側アームの第１の端部にヒンジ結合で連結することができる。内側アームの第２の端部は、サブフレームにヒンジ結合で連結することができる。したがって、各懸架アーム構造体の内側及び外側アームは、それらの間の第１の旋回連結部によって互いに連結することができ、また、内側アームは、第２の旋回連結部によってサブフレームに連結することができる。第１及び第２の旋回連結部はそれぞれ、旋回ジョイント又は一体ヒンジからなることができ、いずれの場合も、旋回連結部は、懸架アーム構造体の変形の範囲を、したがってサブフレームに対する刃組立体の長手方向の変位をも制限する制限止め具を組み込むことができる。外側アームの第１の端部は、上端部となることができる。外側アームの第２の端部は、下端部となることができる。内側アームの第１の端部は下端部となることができ、内側アームの第２の端部は上端部となることができる。
【００１３】
サブフレームに向かう方向及びサブフレームから離れる方向の運動に関して刃組立体の中央部分を案内するために、刃組立体の中央部分と支持構造体との間に、サブフレームに対する刃組立体の長手方向の運動を防止する拘束器を配置することができる。この目的で、拘束器は、刃組立体とサブフレームとの間に配置された細長い部材を備えてもよい。細長い部材、例えばキャップ構造体の下側に連結されたピンは、サブフレーム内に形成された案内スロットを通って延びるように配置されることなどによって、サブフレームと協働して摺動することができる。別の構造において、拘束器はねじり棒を備える。ねじり棒は、一方の端部においては、支持構造体の端部取り付け部の一方に連結され、もう一方の端部においては、好都合にはサブフレームともう一方の端部取り付け部を支持する懸架アーム構造体との間の旋回連結部でサブフレームに結合される。
【００１４】
本発明の好ましい実施形態の上記の及び他の有利な特徴は、添付の図面を参照して、以下の詳細な説明から明らかとなろう。
【図面の簡単な説明】
【００１５】
【図１】本発明による安全かみそり刃ユニットの第１の実施形態を平面図で示す図。
【図２】図１の刃ユニットを示す背面図。
【図３】図１に示した刃ユニットの底面図。
【図４】図２の線ＩＶ−ＩＶにおける横断面図。
【図５】図１の刃ユニットの端面図。
【図６】本発明による支持構造体を組み込んだ剃毛カートリッジの平面図。
【図７】図６の剃毛カートリッジを示す正面図。
【図８】図７の剃毛カートリッジを底面図で示す図。
【図９】図６の剃毛カートリッジの等角図。
【図１０】図６に示した剃毛カートリッジの端面図。
【図１１】図１０の線ＸＩ−ＸＩにおける横断面図。
【図１２】図６の剃毛カートリッジを背面図で示す図。
【図１３】図６の剃毛カートリッジの支持構造体の等角図。
【図１４Ａ】凹状に湾曲した形の刃組立体を支持するための構成をなした、図１３の支持構造体を示す背面図及び等角図。
【図１４Ｂ】凹状に湾曲した形の刃組立体を支持するための構成をなした、図１３の支持構造体を示す背面図及び等角図。
【図１５Ａ】凸状に湾曲した形の刃組立体を支持するための構成をなした、図１３の支持構造体を示す背面図及び等角図。
【図１５Ｂ】凸状に湾曲した形の刃組立体を支持するための構成をなした、図１３の支持構造体を示す背面図及び等角図。
【図１６】本発明による支持構造体の別の実施形態の一体的構成要素を示す正面図。
【図１７】図１６に示した支持構造体構成要素の等角図。
【図１８】本発明の更なる実施形態を示す正面図。
【図１９】図１８の実施形態を通る長手方向の横断面図。
【発明を実施するための形態】
【００１６】
以下の図面及び説明の全体を通じて、同じ参照符号が、それぞれの実施形態における対応する部品及び構成要素を示すために使用されており、特に明記しない限り、ある実施形態に関して与えられたいかなる部品の説明も、同じ参照符号で示された他の実施形態の対応する部品に等しく当てはまる。
【００１７】
図面に示す刃組立体及びそれらの支持構造体は、使用時に、刃の鋭さが不満足な水準に低下するとかみそり全体を破棄するという意図で恒久的に、又は、使用済みの刃組立体を、鋭い刃を有する新たな刃組立体と交換できるように交換可能に、かみそりハンドルに装着される。必要に応じて、刃組立体及びその支持構造体は、それ自体で周知の方式で、ハンドルに対して旋回可能に装着することができ、支持組立体は、同様にそれ自体で既知の方式で、ハンドル内に設けられたスプリングプランジャ（sprung plunger）によってハンドルに対して静止位置に付勢され、サブフレーム上に形成されたカム面に作用するように配置することができる。ハンドルへの支持構造体の取り付けは、直接的であっても、連結部の仲介を通じてもよい。ハンドルへの連結自体は本発明にとって付随的なものであり、その目的で、任意の好適な連結構造体が用いられることが可能であり、それ以上は説明はしない。
【００１８】
図１〜５に、刃組立体２とその刃組立体用の支持構造体３とを備える刃ユニット１が示されている。刃組立体２は、平行に前方に方向付けられた切れ刃を持つ複数の細長い刃４を有しており、図示の構造には５つの刃がある。これらの刃は長さに沿って柔軟であり、また、その内容が参照によって本願に組み込まれる上述の米国特許第６，８０４，８８６（Ｂ２）号明細書（ウェイン（Wain））に記載されているように、曲刃であってもよい。あるいは、これらの刃は平坦であってもよく、傾斜した配列でフレーム構造体に取り付けることができる。刃４は、刃組立体のフレーム構造体５に固定されており、このフレーム構造体は、刃組立体に沿って離間されかつスポット溶接などによって刃４が固定された刃支持ストリップ６を有している。フレーム構造体は、端部から端部まで長さに沿って柔軟であり、それぞれ正面及び背面部材９及び１０によって相互連結された端部７、８を有している。端部７、８並びに正面及び背面部材９、１０は、好都合には、好適な弾性的に柔軟な材料、特にエラストマー材料でできた一体的な成形構成要素として形成される。正面フレーム部材９は、刃組立体のガード構造体１１を構成しているが、必要に応じて、エラストマーのガードなどの別個のガード要素が、フレーム構造体に取り付けられてもよい。背面部材１０は、キャップ構造体１２用の支持体を構成するか又は提供してもよく、このキャップ構造体１２は、図示の実施形態において、一連の個別の潤滑ストリップ区分１４としてフレームに取り付けられた潤滑ストリップ１３を備えている。柔軟な刃４及び柔軟なフレーム構造体５により、刃組立体は全体として、刃組立体の長さに沿って撓曲することが可能であり、そのため、刃が配置されている刃組立体の上面は、凸状又は凹状の湾曲を呈することができる。
【００１９】
刃組立体２は支持構造体３上に装着されており、支持構造体３は、刃組立体の下に配された実質的に剛体のサブフレーム１５と、刃組立体用の端部取り付け部１７をサブフレームの端部に連結する各懸架アーム構造体１６とを有している。図面に示す例示的な実施形態において、端部取り付け部１７は、フレーム構造体の端部７、８用の支持プラットフォームを画定する。刃組立体のフレーム構造体の端部７、８は、それぞれの端部取り付け部１７に固定式で取り付けられており、そのため、端部７、８と端部取り付け部とは、刃組立体の撓曲中は共に移動することを強いられる。各懸架アーム構造体１６は、外側アーム２０を有しており、外側アーム２０の第１の、つまり図示のように上端部には、端部取り付け部１７が固定され、外側アーム２０の下部の第２の端部は、第１の旋回連結部２１によって内側アーム２２の下部の第１の端部にヒンジ結合されており、その内側アームは、プレート状の支柱によって形成され、その上部の第２の端部をサブフレーム１５に第２の旋回連結部２３によって結合されており、第１及び第２の旋回連結部２１、２３の軸は平行である。懸架アーム構造体１６は、刃組立体が凹状及び凸状に撓曲できるように、例えば円弧状経路に沿った揺動運動、すなわち曲線運動を実施することによって、傾斜に関して端部取り付け部１７を支持し案内する。サブフレーム１５に対して、そして使用時にサブフレームに結合されるかみそりハンドル（図示せず）に対して、刃組立体２が長手方向に変位するのを制限するか又は防止するために、制止装置が設けられている。図１〜５の実施形態における制止装置は、直立ピン２６によって形成された拘束器を備えており、この直立ピン２６は、刃組立体から下向きに延びており、サブフレーム内に形成された貫通スロット２７内での軸方向運動に対して摺動可能に案内される。ピン２６は、キャップ構造体の周りに巻き付けられてピンを安定的に保持するクリップ２８によって、刃組立体に沿った中央の位置で、刃組立体のキャップ構造体に固定されて示されている。刃組立体の中央部分は、刃組立体の長さ方向における運動を抑制されるので、刃組立体は、サブフレーム１５に対して、そして刃組立体の対向端部に対して中央部分が上下に運動することによって、上下にのみ撓曲することができる。下向きの力が、刃組立体の中央部分の領域で加えられると、この部分はサブフレーム１５に向かって撓むのに対し、刃組立体２の端部７、８は、懸架アーム１６によって上向きに移動し、それにより刃組立体は凹状の外形を呈する。下向きに加えられた力が刃組立体の少なくとも一方の端部の領域において作用すると、結果として、刃組立体は、凸状に湾曲した外形を呈する。刃組立体の固有の弾性は、刃組立体に及ぼされていたすべての外力が除かれたときの実質的に直線状の外形に刃組立体を戻すために利用することができる。
【００２０】
図１〜５の刃ユニット１をかみそりハンドルに取り付けるために、サブフレーム１５に一体的な取り付け点が設けられている。これらの取り付け点は、刃ユニット全体が、刃の縁部に実質的に平行に延びる長手方向の軸線の周りに旋回できるように、刃ユニット１の旋回装着のために構成されてもよい。サブフレーム１５は、ハンドル連結部の旋回連結のためのジャーナル１９を画定する一体的な翼部材１８を有している。ハンドル連結部は、図６〜１５に示し以下で説明する剃毛カートリッジにおいて用いられるような相互連結部材３０を備えてもよい。
【００２１】
図６〜１５に、本発明の第２の実施形態が示されており、新規な支持構造体が、かみそりハンドルへの着脱可能な取り付けに適合された交換可能な剃毛カートリッジ内に組み込まれている。刃組立体２と支持構造体３とを有する刃ユニット１に加えて、カートリッジは、かみそりハンドル（図示せず）の上端部に連結するための相互連結部材３０を有している。刃組立体２は、図１〜５の第１の実施形態に関連して上記に説明した刃組立体と実質的に同じであり、刃組立体の更なる詳細については、その説明を参照されたい。剃毛カートリッジの支持構造体３はまた、サブフレーム１５と、それぞれの端部取り付け部１７を支持し各々が外側アーム２０とその外側アームへのヒンジ連結部を有する内側アーム２２とを有する一対の懸架アーム構造体１６とを有し、サブフレームに第１及び第２の旋回連結部２１、２３が設けられているという点で、第１の実施形態のものと類似している。図１〜５の支持構造体と図６〜１５の支持構造体との主な違いは、支持構造体上の刃組立体２の長手方向の変位を防止するように機能する拘束器２５の形であり、サブフレームに対する刃組立体の中央部の変形を案内するための案内装置の代わりに、ねじり棒３１がこの目的で設けられている。ねじり棒３１は、端部取り付け部１７の一方のプラットフォーム表面内に設けられた溝３３内に受容される第１の端部部分３２を有し、端部部分３２は溝内で回転可能であり、プラットフォームの上に固定された刃組立体の端部７によって溝内に保持される。ねじり棒の主中央部分３４は、刃組立体と概ね平行な長手方向に延びており、この中央部分の一方の端部は、傾斜したねじり棒部分３５によって第１の端部部分３２に連結されているのに対し、もう一方の端部は、主中央部分３４に実質的に垂直な、上方に延びる短い部分３６に連結されており、その上端部において、第２の旋回連結部２３でサブフレームと回転可能に係合するねじり棒の第２の端部部分３７に連結されている。ねじり棒３１は、連結されている端部取り付け部１７がサブフレームに対して生じ得る運動を制御し、また、２つの端部取り付け部が刃組立体２によって相互連結されていることによって、もう一方の端部取り付け部１７は、それらの運動に鏡像の方式で従うように強制され、すなわち、その結果、刃取り付け部１７は、刃組立体２が凸状及び凹状の曲線形へと撓曲するように、サブフレーム１５に対して調和して上方及び下方に傾斜又は揺動する。したがって、図１４Ａ及び１４Ｂは、刃組立体（図示せず）が、例えば端部７と８との間の刃組立体の中央領域で加えられた下向きの力が原因で凹状の湾曲形状に変形したときに取る傾斜位置にある支持構造体１６及び端部取り付け部１７を示し、図１５Ａ及び１５Ｂは、懸架アーム構造体１６が変形されると共に、端部取り付け部１７が、刃組立体が凸状に湾曲した形で支持される傾斜位置に変位された支持構造体を示す。
【００２２】
図１〜５の刃ユニットと同様に、図６〜１５における支持構造体のサブフレーム１５は、ジャーナル１９を設けられた一体的な翼部材１８を有している。相互連結部材３０は、ジャーナル１９内に係合した自由端部に突出部３９を有するフォークアーム３８を有しており、それによって、相互連結部材３０への支持構造体３の旋回連結が得られ、この旋回連結の旋回軸は、刃組立体に対して長手方向にかつ刃４に実質的に平行に延びている。相互連結部材は、かみそりハンドルの上端部に設けられた連結部を受容するためにソケット４１を中に有する本体４０を有しているが、相互連結部材とかみそりハンドルとの間の任意の好適な形の連結を使用することができる。
【００２３】
旋回ジョイントが、懸架アーム構造体１６の内側アーム２２とサブフレーム１５との間、又は内側アーム２２と外側アーム２０との間の連結部２１、２３に用いられることは必須ではない。図１６及び１７に別の構造が示されており、この構造において、一体成形品の一体ヒンジ部分２１Ａ、２３Ａによってヒンジ連結部が代わりに設けられており、それによって、サブフレーム１５、懸架アーム構造体１６、及び端部取り付け部１７は、単一の成形部品として一体に形成されている。支持構造体の他の細部は、先の実施形態に関連して上記に説明した通りとすることができる。
【００２４】
図１８及び１９に、本発明による支持構造体の実施形態が示されており、この実施形態は、図１〜１５の実施形態に関連して上記に説明した通りであるが、サブフレームに対する刃組立体のいかなる長手方向の変位も排除するための拘束器ではなく、異なる形の制止装置が設けられている点において異なっており、刃組立体のそのような長手方向の変位を制限するための止め具の配列が設けられている。より具体的には、止め具４３、４４が、懸架アーム構造体の内側及び外側アームの旋回連結部２１、２３に設けられて、これらの旋回連結部によって可能となる旋回運動の範囲を制限している。一体ヒンジ部分２１Ａ、２３Ａがヒンジジョイントの代わりに設けられている、図１６及び１７に示す実施形態は、サブフレームに対する刃組立体の可能となる長手方向の変位を制限するために、例えば一体ヒンジの適切な構成によって、類似の制限止め具を設けることができる。刃組立体の長手方向の運動の範囲が制限されることは、剃毛中に肌に適合するように刃組立体を撓曲させやすくする上で有益となり得る。
【００２５】
好ましい実施形態の前述の説明は、単に非限定的な例として示したものであり、修正及び改変は、特許請求の範囲によって規定される本発明の範囲から逸脱することなく可能であることは理解されたい。加えて、特定の実施形態に関連して説明した特徴は、他の実施形態に含めることができる。例えば、サブフレームに向かって、またサブフレームから離れて移動するように刃組立体の中央部分を案内するための他の装置が、図１〜５のピンとスロットの装置の他に容易に考えられ、また当業者である読者は思いつくであろう。そのような可能性の１つが、懸架アーム構造体の旋回連結部でキャップ構造体１２の下側をサブフレームに結合するアームである。
【００２６】
本明細書で開示した寸法及び値は、列挙した厳密な数値に狭義に限定されるものとして解釈されるべきではない。その代わりに、別段の指定がない限り、そのような各寸法は、列挙した値と、その値を包含する機能的に等価な範囲との双方を意味することを意図したものである。例えば、「４０ｍｍ」として開示した寸法は、「約４０ｍｍ」を意味することを意図したものである。
【００２７】
参照番号の一覧
１．刃ユニット
２．刃組立体
３．支持構造体
４．刃
５．フレーム構造体
６．刃支持ストリップ
７．フレーム構造体端部
８．フレーム構造体端部
９．正面部材
１０．背面部材
１１．ガード構造体
１２．キャップ構造体
１３．潤滑ストリップ
１４．潤滑ストリップ区分
１５．サブフレーム
１６．懸架アーム構造体
１７．端部取り付け部
１８．翼部材
１９．ジャーナル
２０．外側アーム
２１．第１の旋回連結部
２１Ａ．第１の一体ヒンジ
２２．内側アーム
２３．第２の旋回連結部
２３Ａ．第２の一体ヒンジ
２５．拘束器
２６．ピン
２７．貫通スロット
２８．クリップ
３０．相互連結部材
３１．ねじり棒
３２．ねじり棒の第１の端部部分
３３．溝
３４．ねじり棒の中央部分
３５．ねじり棒の傾斜部分
３６．上向きに延びるねじり棒部分
３７．ねじり棒の第２の端部部分
３８．フォークアーム
３９．突出部
４０．本体
４１．ソケット
４３．制限止め具
４４．制限止め具
【００２８】
本発明の「発明を実施するための形態」で引用したすべての文書は、関連部分において参照によって本願に組み込まれるが、いずれの文書の引用も、それが本発明に対する先行技術であることを認めるものとして解釈されるものではない。本書における用語のいずれかの意味又は定義が、参照によって組み込まれる文書における同じ用語のいずれかの意味又は定義と対立する限りは、本書においてその用語に与えられた意味又は定義を優先するものとする。
【００２９】
本発明の特定の実施形態について図示し説明したが、種々の他の変更及び修正が、本発明の趣旨及び範囲から逸脱することなくなされうることは、当業者には明らかとなろう。したがって、本発明の範囲内にあるそのようなすべての変更及び修正は、添付の特許請求の範囲で網羅することとする。
【図１】
2010518904.tif 000003
【図２】
2010518904.tif 000004
【図３】
2010518904.tif 000005
【図４】
2010518904.tif 000006
【図５】
2010518904.tif 000007
【図６】
2010518904.tif 000008
【図７】
2010518904.tif 000009
【図８】
2010518904.tif 000010
【図９】
2010518904.tif 000011
【図１０】
2010518904.tif 000012
【図１１】
2010518904.tif 000013
【図１２】
2010518904.tif 000014
【図１３】
2010518904.tif 000015
【図１４Ａ】
2010518904.tif 000016
【図１４Ｂ】
2010518904.tif 000017
【図１５Ａ】
2010518904.tif 000018
【図１５Ｂ】
2010518904.tif 000019
【図１６】
2010518904.tif 000020
【図１７】
2010518904.tif 000021
【図１８】
2010518904.tif 000022
【図１９】
2010518904.tif 000023
【国際調査報告】
2010518904.tif 000024
2010518904.tif 000025
2010518904.tif 000026